(57)【要約】      （修正有）【課題】暑い時は涼しく寒い時は暖かい、冷却や加熱が可能なペット用マットを提供する。【解決手段】冷却、加熱が可能なペット用マットは、機能プレートと、電熱クーラー２０と、放熱座３０と、熱伝導棒４０と、を有し、機能プレートは、底面に少なくとも１つの伝導エリア１１が凸設され、電熱クーラーは、熱伝導可能に機能プレートに取り付けられ、放熱座は、機能プレートに連結されると共に、上面に熱伝導溝３２が凹設され、熱伝導棒が放熱座の熱伝導溝に設置され、平坦な接触面を介して電熱クーラーと接触する。暑い時は、電熱クーラーを冷却モードに切り替えて、機能プレートの表面を冷却し、寒い時は、加熱モードに切り替えて、機能プレートの表面を加熱することにより、ペットが心地よい状態で機能プレートに座ったり横になったりすることができる。【選択図】図２
0003199394.tif 000002
【実用新案登録請求の範囲】
【請求項１】
底面に少なくとも１つの伝導エリアが凸設される機能プレートと、
熱伝導可能に、前記機能プレートに取り付けられる少なくとも１枚の電熱クーラーと、
前記機能プレートに連結されると共に、上面に熱伝導溝が凹設される少なくとも１つの放熱座と、
前記放熱座の熱伝導溝に設置され、平坦な接触面を備え、該接触面を介して電熱クーラーと接触する少なくとも１つの熱伝導棒と、を有することを特徴とする、
冷却、加熱が可能なペット用マット。
【請求項２】
前記機能プレートに２つの伝導エリアが設けられ、該各伝導エリアの両端はそれぞれ、機能プレートの両側縁部の近傍に相対するように設けられ、更に、該伝導エリアに、中央部分が露出するように伝導シールが設置され、該伝導シールの露出箇所に放熱グリスが塗布され、該伝導エリアの表面及び該伝導シールの一側に熱遮断テープが貼り付けられ、前記機能プレートにおける、伝導エリアと対応する箇所にそれぞれ電熱クーラーが取り付けられ、該電熱クーラーは、面接触により伝導エリアの放熱グリスに貼り付けられることを特徴とする請求項１に記載の冷却、加熱が可能なペット用マット。
【請求項３】
前記熱伝導棒の外周面に２対の面部を備え、その内、１対の相対する面部の幅が、他の１対の相対する面部の幅より大きいことを特徴とする請求項１に記載の冷却、加熱が可能なペット用マット。
【請求項４】
前記機能プレートに２つの放熱座が連結され、該各放熱座は、複数のフィン及び２つのサイド凹部を備え、該複数のフィンはそれぞれ、放熱座の長手方向に沿って間隔をおいて配列されるように放熱座の底面に設けられ、該２つのサイド凹部はそれぞれ熱伝導溝と連通すると共に、対向するように放熱座の上面に凹設され、前記電熱クーラーは、２つのサイド凹部と熱伝導溝との間に嵌め込まれ、前記熱伝導棒は、その上部による電熱クーラーと接触することを特徴とする請求項１乃至３の何れか１項に記載の冷却、加熱が可能なペット用マット。
【請求項５】
前記放熱座の両端を貫通するように、該放熱座の上面に熱伝導溝が凹設され、該熱伝導溝の両側にそれぞれ壁面が形成され、該熱伝導溝の底部に底面が形成され、該熱伝導溝における、底面が両側の壁面と垂直するように設けられ、前記熱伝導棒は、その上部が電熱クーラーと接触するように、放熱座の熱伝導溝に設置されることを特徴とする請求項１乃至３の何れか１項に記載の冷却、加熱が可能なペット用マット。
【請求項６】
前記機能プレートは、４つの隅角にそれぞれ取付穴が形成されると共に、４つの支持柱及び４つのボルトを有し、その内、各支持柱の上面に機能プレートの取付穴と対応する固定穴が形成され、該ボルトが機能プレートの取付穴を介して支持柱の固定穴に嵌め込まれることによって、支持柱を機能プレートに取り付けることを特徴とする請求項４に記載の冷却、加熱が可能なペット用マット。
【請求項７】
前記支持柱の底部にさらに、脚座が設けられることを特徴とする請求項６に記載の冷却、加熱が可能なペット用マット。
【請求項８】
さらに底板及び熱排出部材を有し、前記底板は、２つの第一壁部及び２つの第二壁部を備え、そのうち、２つの第一壁部は、底板の相対する両側の縁部中央に凸設されると共に、該各第一壁部の両端はそれぞれ、放熱座の近傍に位置し、該２つの第二壁部は、底板の他の相対する両側の縁部に設けられると共に、該各第二壁部の両端はそれぞれ、対応する支持柱の外周面に連結され、前記熱排出部材は、底板に取り付けられ、２つのファン及び制御基板を備え、そのうち、２つのファンはそれぞれ、放熱座と対応するように底板の底面に取り付けられ、該制御基板は、底板の内面における２つの放熱座の間に取り付けられ、電熱クーラー及びファンと電気接続されることを特徴とする請求項５または７に記載の冷却、加熱が可能なペット用マット。
【請求項９】
ケースと、底蓋と、熱排出部材とを有し、その内、ケースは、矩形の枠であり、放熱座を囲むように、機能プレートの底面の周縁近傍に設置され、その４つの壁面にそれぞれ複数のネットフィルター開口が形成され、該底蓋は、ケースの底部に嵌め込まれ、該熱排出部材は、底蓋と反対する側に位置するように、機能プレートに取り付けられると共に、２つのファンと、制御基板と、導流板とを備え、該制御基板は、機能プレートの底面に取り付けられ、該各導流板は、放熱座における、底蓋に面する側に取り付けられ、その中央に通気穴が形成され、該ファンは、通気穴と対応するように、導流板に取り付けられることを特徴とする請求項５に記載の冷却、加熱が可能なペット用マット。
【請求項１０】
ベースを有し、該ベースは、中空状を呈すると共に、上面に嵌合穴が形成され、前記機能プレートは、ベースの嵌合穴に嵌め込まれることを特徴とする請求項１乃至５の何れか１項に記載の冷却、加熱が可能なペット用マット。
【考案の詳細な説明】
【技術分野】
【０００１】
本考案は、特に暑い時は涼しく寒い時は暖かい、冷却や加熱ができるペット用マットに関するものである。
【背景技術】
【０００２】
ペット用マットは、犬または猫などのペットを飼う時によく使用されるペット用製品であり、ペットがマットに座ったり、横になったりして、休息や睡眠をとることが出来る。しかしながら、既存のペット用マットは通常、布からなることから、涼しい環境においては、使い心地がよいが、暑いまたは寒い時には、使い心地が悪くなるという問題がある。
【０００３】
この問題を解決するために、台湾実用新案第Ｍ４１５６３４号では、暑い時には涼しく、寒い時には暖かい、冷熱機能を備えたペット用マットを案出した。この冷熱マットは、金属材質からなり、主に上板や、底板、２つの熱伝導管、２枚の熱伝導板などの部材から組み立てられるものであり、これによれば、冷熱マットは、金属材質からなることから、強固な構造を有すると共に、掃除も簡単にできるので、いつも綺麗に清潔さを保持することが出来る。
【０００４】
また、既存の冷熱マットは、上板と底板との間にスペースが形成されるケースを有し、上板及び底板の内側の壁にそれぞれ熱伝導管が貼り付けられ、それらの熱伝導管により暖かさや冷たさを提供すると共に、上板の上面に犬や猫などのペットが座ったり横になったりするマットを有する。
【考案の概要】
【考案が解決しようとする課題】
【０００５】
しかしながら、既存の冷熱マットにおける熱伝導管は、円柱状を呈することから、上板と接触する面積が小さいので、冷熱エネルギーの伝導効果に優れないといった問題があった。
【課題を解決するための手段】
【０００６】
上述した既存の冷熱マットの問題を解決するために、本考案に係る冷却、加熱可能なペット用マットを提供する。
本考案に係る冷却、加熱が可能なペット用マットは、底面に少なくとも１つの伝導エリアが凸設される機能プレートと、熱伝導可能に、前記機能プレートに取り付けられる少なくとも１枚の電熱クーラーと、前記機能プレートに連結されると共に、上面に熱伝導溝が凹設される少なくとも１つの放熱座と、前記放熱座の熱伝導溝に設置され、平坦な接触面を備え、該接触面を介して電熱クーラーと接触する少なくとも１つの熱伝導棒と、を有する。
【０００７】
かかる冷却、加熱が可能なペット用マットは、前記機能プレートに２つの伝導エリアが設けられ、該各伝導エリアの両端はそれぞれ、機能プレートの両側縁部の近傍に相対するように設けられ、更に、該伝導エリアに、中央部分が露出するように伝導シールが設置され、該伝導シールの露出箇所に放熱グリスが塗布され、該伝導エリアの表面及び該伝導シールの一側に熱遮断テープが貼り付けられ、前記機能プレートにおける、伝導エリアと対応する箇所にそれぞれ電熱クーラーが取り付けられ、該電熱クーラーは、面接触により伝導エリアの放熱グリスに貼り付けられることが好ましい。
【０００８】
かかる冷却、加熱が可能なペット用マットは、前記熱伝導棒の外周面に２対の面部を備え、その内、１対の相対する面部の幅が、他の１対の相対する面部の幅より大きいことが好ましい。
【０００９】
かかる冷却、加熱が可能なペット用マットは、前記機能プレートに２つの放熱座が連結され、該各放熱座は、複数のフィン及び２つのサイド凹部を備え、該複数のフィンはそれぞれ、放熱座の長手方向に沿って間隔をおいて配列されるように放熱座の底面に設けられ、該２つのサイド凹部はそれぞれ熱伝導溝と連通すると共に、対向するように放熱座の上面に凹設され、前記電熱クーラーは、２つのサイド凹部と熱伝導溝との間に嵌め込まれ、前記熱伝導棒は、その上部による電熱クーラーと接触することが好ましい。
【００１０】
かかる冷却、加熱が可能なペット用マットは、前記放熱座の両端を貫通するように、該放熱座の上面に熱伝導溝が凹設され、該熱伝導溝の両側にそれぞれ壁面が形成され、該熱伝導溝の底部に底面が形成され、該熱伝導溝における、底面が両側の壁面と垂直するように設けられ、前記熱伝導棒は、その上部が電熱クーラーと接触するように、放熱座の熱伝導溝に設置されることが好ましい。
【００１１】
かかる冷却、加熱が可能なペット用マットは、前記機能プレートは、４つの隅角にそれぞれ取付穴が形成されると共に、４つの支持柱及び４つのボルトを有し、その内、各支持柱の上面に機能プレートの取付穴と対応する固定穴が形成され、該ボルトが機能プレートの取付穴を介して支持柱の固定穴に嵌め込まれることによって、支持柱を機能プレートに取り付けることが好ましい。
【００１２】
かかる冷却、加熱が可能なペット用マットは、前記支持柱の底部にさらに、脚座が設けられることが好ましい。
【００１３】
かかる冷却、加熱が可能なペット用マットは、さらに底板及び熱排出部材を有し、前記底板は、２つの第一壁部及び２つの第二壁部を備え、そのうち、２つの第一壁部は、底板の相対する両側の縁部中央に凸設されると共に、該各第一壁部の両端はそれぞれ、放熱座の近傍に位置し、該２つの第二壁部は、底板の他の相対する両側の縁部に設けられると共に、該各第二壁部の両端はそれぞれ、対応する支持柱の外周面に連結され、前記熱排出部材は、底板に取り付けられ、２つのファン及び制御基板を備え、そのうち、２つのファンはそれぞれ、放熱座と対応するように底板の底面に取り付けられ、該制御基板は、底板の内面における２つの放熱座の間に取り付けられ、電熱クーラー及びファンと電気接続されることが好ましい。
【００１４】
かかる冷却、加熱が可能なペット用マットは、ケースと、底蓋と、熱排出部材とを有し、その内、ケースは、矩形の枠であり、放熱座を囲むように、機能プレートの底面の周縁近傍に設置され、その４つの壁面にそれぞれ複数のネットフィルター開口が形成され、該底蓋は、ケースの底部に嵌め込まれ、該熱排出部材は、底蓋と反対する側に位置するように、機能プレートに取り付けられると共に、２つのファンと、制御基板と、導流板とを備え、該制御基板は、機能プレートの底面に取り付けられ、該各導流板は、放熱座における、底蓋に面する側に取り付けられ、その中央に通気穴が形成され、該ファンは、通気穴と対応するように、導流板に取り付けられることが好ましい。
【００１５】
かかる冷却、加熱が可能なペット用マットは、ベースを有し、該ベースは、中空状を呈すると共に、上面に嵌合穴が形成され、前記機能プレートは、ベースの嵌合穴に嵌め込まれることが好ましい。
【考案の効果】
【００１６】
本考案に係る冷却、加熱が可能なペット用マットにおける、電熱クーラーや、熱伝導棒、伝導シールはそれぞれ、平坦面に平面接触することから、電熱クーラーの熱伝導の効果に優れているので、暑い時は、電熱クーラーを冷却モードに切り替えて、機能プレートの表面を冷却することにより、ペットが心地よい状態で機能プレートに座ったり横になったりすることができ、一方、寒い時は、電熱クーラーを加熱モードに切り替えて、機能プレートの表面を加熱することにより、ペットが暖かい状態で機能プレートに座ったり横になったりすることができる。
【００１７】
また、本考案に係る冷却、加熱が可能なペット用マットは、その放熱座の熱伝導溝の両側にそれぞれサイド凹部が形成されることから、該サイド凹部により電熱クーラーと熱伝導棒とが接触する箇所の熱を分散できると共に、熱を熱伝導棒を介して放熱座に伝送することができるので、熱が電熱クーラーと熱伝導棒との接触箇所に集ることを防止して、放熱座の熱の排出効率を向上させることができる。
【図面の簡単な説明】
【００１８】
【図１】本考案に係る冷却、加熱が可能なペット用マットの第一実施例の斜視図である。
【図２】本考案に係る冷却、加熱が可能なペット用マットの第一実施例の部分分解斜視図である。
【図３】本考案に係る冷却、加熱が可能なペット用マットの他の実施例の底面視平面図である。
【図４】本考案に係る冷却、加熱が可能なペット用マットにおける放熱座及び熱伝導棒を示す部分拡大分解斜視図である。
【図５】本考案に係る冷却、加熱が可能なペット用マットの第一実施例の部分拡大断面図である。
【図６】本考案に係る冷却、加熱が可能なペット用マットの第二実施例の部分拡大断面図である。
【図７】本考案に係る冷却、加熱が可能なペット用マットの第三実施例の斜視図である。
【図８】本考案に係る冷却、加熱が可能なペット用マットの第三実施例の部分分解斜視図である。
【図９】本考案に係る冷却、加熱が可能なペット用マットの第四実施例の斜視図である。
【考案を実施するための形態】
【００１９】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００２０】
図１、図２、図５に示すように、本考案に係る冷却、加熱が可能なペット用マットの第一実施例は、機能プレート１０と、２枚の電熱クーラー（Ｔｈｅｒｍｏｅｌｅｃｔｒｉｃ  Ｃｏｏｌｅｒ）２０と、２つの放熱座３０と、２つの熱伝導棒４０と、底板５０と、熱排出部材６０とを有する。
【００２１】
図２及び図５に示すように、前記機能プレート１０は、２つの伝導エリア１１と、４つの熱遮断テープ１２と、４つの取付穴１３と、４つの支持柱１４と、４つのボルト１５とを備える。
該２つの伝導エリア１１はそれぞれ、機能プレート１０の底面に凸設され、該各伝導エリア１１の両端は、機能プレート１０の相対する両側縁部の近傍に設けられ、更に、該伝導エリア１１に、中央部分が露出するように伝導シール１１１が設置され、該伝導シール１１１の露出箇所に放熱グリス１１２が塗布され、伝導エリア１１の表面及び伝導シール１１１の一側に該熱遮断テープ１２が貼り付けられ、それにより密閉して断熱の効果を提供する。
【００２２】
前記４つの取付穴１３はそれぞれ、機能プレート１０の４つの隅角に形成され、前記４つの支持柱１４はそれぞれ、機能プレート１０の４つの隅角に組み合わされると共に、その上面の中心に機能プレート１０の取付穴１３と対応する固定穴１４１が形成され、前記４つのボルト１５はそれぞれ、機能プレート１０の取付穴１３を介して支持柱１４の固定穴１４１に嵌め込まれる。
一方、図３に示すように、他の実施例においては、その支持柱１４の底部にさらに、脚座１６が取り付けられることが好ましい。
【００２３】
前記２枚の電熱クーラー２０はそれぞれ、機能プレート１０と熱伝導するように機能プレート１０に取り付けられ、該各電熱クーラー２０の表面及び底面は、冷却面としてもよく、加熱面としてもよい。また、前記各電熱クーラー２０は、面接触により伝導エリア１１の放熱グリス１１２に貼り付けられることから、その放熱グリス１１２の優れた熱伝導性を利用すれば、伝導エリア１１の熱の伝導効果を向上させることができる。
【００２４】
図２、図４、図５に示すように、前記各放熱座３０は、長方体であり、相対する２つの支持柱１４の間に位置するように機能プレート１０に連結されると共に、複数のフィン３１と、熱伝導溝３２と、２つのサイド凹部３３とを備え、それらのフィン３１はそれぞれ、放熱座３０の長手方向に沿って間隔をおいて配列されるように放熱座３０の底面に設けられる。該熱伝導溝３２は、放熱座３０の両端を貫通するように、フィン３１と反対する上面に凹設されると共に、その両側にそれぞれ壁面が形成され、底部に底面が形成され、更に、該熱伝導溝３２の底面が両側の壁面と垂直するように設けられ、該２つのサイド凹部３３はそれぞれ熱伝導溝３２と連通すると共に、対向するように放熱座３０の上面に凹設され、また、前記電熱クーラー２０は、２つのサイド凹部３３と熱伝導溝３２との間に嵌め込まれる。
一方、図６に示すように、第二実施例は、殆ど第一実施例と同一であるが、放熱座３０Ａが異なり、その放熱座３０Ａは、上面に熱伝導溝３２Ａが凹設され、該熱伝導溝３２Ａは、Ｕ字形の凹部であり、３つの面を有し、そのうちの底面が放熱座３０Ａの両側の壁に対して垂直するように形成される。
【００２５】
図２及び図４に示すように、前記熱伝導棒４０は、矩形且つ細長状を呈し、平坦な上接触面及び下接触面を備え、該上接触面を介して電熱クーラー２０と接触するように、且つ該下接触面を介して熱伝導溝３２の底面と接触するように設置され、更に、外周面に２対の面部を備え、その内、１対の相対する面部の幅は、他の１対の相対する面部の幅より大きい設定となっている。
図５に示すように、該熱伝導棒４０は、上面を介して電熱クーラー２０と接触する。
図６に示すように、第二実施例は、殆ど第一実施例と同一であるが、熱伝導棒４０Ａが異なり、該各熱伝導棒４０Ａは、熱伝導溝３２Ａに設置され、上面を介して電熱クーラー２０と接触し、また、本実施例の熱伝導棒４０Ａの厚さ（図面の上下方向の幅）は、上述した熱伝導棒４０の厚さより厚い設定となっている。
【００２６】
図２及び図３に示すように、前記底板５０は、放熱座３０をカバーするように機能プレート１０に組み合わされ、２つの第一壁部５１及び２つの第二壁部５２を備え、該２つの第一壁部５１は、底板５０の相対する両側の縁部中央に凸設されると共に、該各第一壁部５１の両端はそれぞれ、放熱座３０の近傍に位置し、該２つの第二壁部５２は、底板５０の他の相対する両側の縁部に設けられ、該各第二壁部５２の両端はそれぞれ、対応する支持柱１４の外周面に連結される。
【００２７】
図２及び図３に示すように、前記熱排出部材６０は、底板５０に取り付けられ、２つのファン６２及び制御基板６１を備え、その内、２つのファン６２はそれぞれ、放熱座３０と対応するように底板５０の底面に取り付けられ、放熱座３０に対して空気を送り続けることができるので、放熱座３０のフィン３１の熱排出効果を向上させることができる。
一方、前記制御基板６１は、底板５０の内面における２つの放熱座３０の間に取り付けられ、電熱クーラー２０及びファン６２と電気接続されることにより、電熱クーラー２０及び換気扇６２の制御により稼動させることができる。
【００２８】
図７及び図８に示すように、第三実施例は、殆ど第一実施例と同一であるが、ケース７０と、底蓋８０と、熱排出部材６０Ａを有する点において異なり、その内、ケース７０は、矩形の枠であり、放熱座３０を囲むように、機能プレート１０Ａの底面周縁の近傍に設置され、その４つの壁面にそれぞれ複数のネットフィルター開口７１が形成され、該底蓋８０は、ケース７０の底部に嵌め込まれる。
また、前記熱排出部材６０Ａは、底蓋８０と反対する側に位置するように、機能プレート１０Ａに取り付けられると共に、２つのファン６２Ａと、制御基板６１Ａと、導流板６３Ａとを備え、該制御基板６１Ａは、機能プレート１０Ａの底面に取り付けられ、該各導流板６３Ａは、放熱座３０における、底蓋８０に面する側に取り付けられ、その中央に通気穴６３１Ａが形成され、該ファン６２Ａは、通気穴６３１Ａと対応するように、導流板６３Ａに取り付けられる。
本実施例の冷却、加熱が可能なペット用マットを使用する時は、制御基板６１Ａによるファン６２Ａを駆動させて空気を供給し、その空気を通気穴６３１Ａを介して放熱座３０に送り、導流板６３Ａによる空気を案内してケース７０のネットフィルター開口７１から外部へ排出させる。この構造によれば、ケース７０の内部の熱を排出することができる。
【００２９】
図９に示すように、第四実施例は、殆ど第三実施例と同一であるが、ケース７０及び底蓋８０を有さず、ベース９０を有する点において異なり、該ベース９０は、中空状かつ矩形の木枠であり、上面中央に嵌合穴９１が形成され、周囲に４つの壁部を備え、該各壁部に内部と連通する連通穴９２が形成されると共に、該各壁部の上部に上面より高い凸縁９３が延設され、２つの相対する凸縁９３に取っ手穴９４が形成され、また、前記機能プレート１０は、ベース９０の嵌合穴９１に嵌め込まれる。
【００３０】
更に、本考案に係る冷却、加熱が可能なペット用マットを使用する時は、電熱クーラー２０を選択可能に冷却モードまたは加熱モードに切り替え、制御基板６１の制御により電熱クーラー２０の冷却面を加熱面に変換したり、加熱面を冷却面に変換したりして使用する。
また、その電熱クーラー２０を制御して冷却モードに切り替える場合は、機能プレート１０に面する接触面が冷却面となり、該機能プレート１０からの熱を伝導エリア１１を介して該冷却面に送ることにより、機能プレート１０の温度を下げ、この時、電熱クーラー２０の冷却面と反対する面が加熱面となり、その加熱面に熱を生じるが、その熱は、放熱座３０のフィン３１を介して外部に排出される。
一方、その電熱クーラー２０を制御して加熱モードに切り替える場合は、機能プレート１０に対する面が加熱面となり、機能プレート１０の伝導エリア１１を介して加熱面からの熱を機能プレート１０に送ることにより、機能プレート１０の温度を上げ、この時、電熱クーラー２０の加熱面と反対する面が冷却面となり、該冷却面が放熱座３０のフィン３１による吹き込んだ空気と熱エネルギーを交換することができる。
【００３１】
上述したように、本考案では、その電熱クーラー２０と、熱伝導棒４０と、伝導シール１１１がそれぞれ、面接触であることから、電熱クーラー２０は熱伝導効果に優れているので、暑い時は、電熱クーラー２０を冷却モードに切り替えて、機能プレート１０の表面を冷却することにより、ペットが心地よい状態で機能プレート１０に座ったり横になったりすることができる。一方、寒い時は、電熱クーラー２０を加熱モードに切り替えて、機能プレート１０の表面を加熱することにより、ペットが常に機能プレート１０に座ったり横になったりして温まることができる。
【００３２】
さらに、本考案に係る冷却、加熱が可能なペット用マットは、放熱座３０の熱伝導溝３２の両側にそれぞれサイド凹部３３が形成されることから、該サイド凹部３３により電熱クーラー２０と熱伝導棒４０とが接触する箇所の熱を分散できると共に、熱を熱伝導棒４０を介して放熱座３０に送ることにより、熱が電熱クーラー２０と熱伝導棒４０との接触箇所に集中することを防止できるので、放熱座３０の熱の排出効率を向上させることができる。
【符号の説明】
【００３３】
１０、１０Ａ  機能プレート
１１          伝導エリア
１１１        伝導シール
１１２        放熱グリス
１２          熱遮断テープ
１３          取付穴
１４          支持柱
１４１        固定穴
１５          ボルト
１６          脚座
２０          電熱クーラー
３０、３０Ａ  放熱座
３１          フィン
３２、３２Ａ  熱伝導溝
３３          サイド凹部
４０、４０Ａ  熱伝導棒
５０          底板
５１          第一壁部
５２          第二壁部
６０、６０Ａ  熱排出部材
６１、６１Ａ  制御基板
６２、６２Ａ  ファン
６３Ａ        導流板
７０          ケース
７１          ネットフィルター開口
８０          底蓋
９０          ベース
９１          嵌合穴
９２          連通穴
９３          凸縁
９４          取っ手穴
【図１】
0003199394.tif 000003
【図２】
0003199394.tif 000004
【図３】
0003199394.tif 000005
【図４】
0003199394.tif 000006
【図５】
0003199394.tif 000007
【図６】
0003199394.tif 000008
【図７】
0003199394.tif 000009
【図８】
0003199394.tif 000010
【図９】
0003199394.tif 000011